(57)【要約】      （修正有）【課題】埋設ボックスの設置現場における埋設状況に対応した止水構造の選定、埋設後の保守点検時の分解清掃を容易にし、長期にわたり使用可能とする埋没ボックスの止水装置を提供する。【解決手段】埋設ボックスの底壁に貫挿装着し、雌ネジ２を形成してある排水口体１と、排水口体１に着脱自在にねじ止めする盲栓体１０と、同じく排水口体１に着脱自在にねじ止めし、埋設ボックス内の貯留水を排水可能で、埋設ボックス外からの浸水を防止可能にする逆流防止弁体２０とを備える。排水口体１には、盲栓体１０あるいは逆流防止弁体２０のいずれかを選択してねじ止め装着する。また、排水口体１は、埋設ボックスの構築用の内側型枠に設けた排水口形成用突部にほぼ水密状に嵌め合わせる水封内縁４を下部に設け、この水封内縁４は、排水口形成用突部の外周面に当接する断面略鋭角状に形成してある。【選択図】図１
0003165904.tif 000002
【実用新案登録請求の範囲】
【請求項１】
所定の埋設ボックスの底壁にこの底壁を貫挿させて装着され、内周面に雌ネジが形成されている排水口体と、この排水口体に雄ネジによって着脱自在にねじ止めされる盲栓体と、同じく雄ネジによって排水口体１に着脱自在にねじ止めされ、埋設ボックス内の貯留水は排水可能で、埋設ボックス外からの浸水を防止可能にする逆流防止弁体とを備え、排水口体に盲栓体あるいは逆流防止弁体のいずれかが選択してねじ止め装着されるようにしてなることを特徴とする埋設ボックスの止水装置。
【請求項２】
排水口体は、扁平な筒状を呈し、内周面に雌ネジが形成されていると共に、埋設ボックスの底壁の内側面に位置する取付フランジが上部に、また、ボックス構築用の内側型枠における底壁部相当面に突柱状に設けられている排水口を形成する排水口形成用突部にその外側からほぼ水密状に嵌め合わせる水封内縁が下部にそれぞれ設けられた請求項１に記載の埋設ボックスの止水装置。
【請求項３】
水封内縁は、排水口形成用突部の外周面に当接する断面鋭角状に形成してある請求項２に記載の埋設ボックスの止水装置。
【請求項４】
逆流防止弁体は、排水口体の雌ネジにねじ込まれる雄ネジを外周に有する筒状の弁筐体内に、通水口が開口形成されている隔壁を上部側に設けると共に、隔壁上には上部フィルタ体を着脱自在に配装し、弁筐体の下部には着脱自在な下部フィルタ体を配装し、下部フィルタ体と隔壁との間には、浮力によって上下動し、上昇時に通水口に密着閉塞するよう比重が水より小さい球体状の開閉弁を隔壁下に上下動自在に配して成る請求項１乃至３のいずれかに記載の埋設ボックスの止水装置。
【請求項５】
上部フィルタ体は、フィルタを交換自在に格納する格納凹所と盤面に多数の通水孔とを有して、上下で相互に嵌合されることで着脱自在に分割形成されている対称構成された上下盤から成る請求項４に記載の埋設ボックスの止水装置。
【請求項６】
下部フィルタ体は、盤面に多数の通水孔を有する底盤周縁上に弁筐体の内周面あるいは弁筐体の内側に形成した内筒面に圧接する複数の嵌入支持片を立設すると共に、内筒下端縁に当接されるよう、嵌入支持片にて囲繞された盤面上にフィルタを交換自在に配置して成る請求項４または５に記載の埋設ボックスの止水装置。
【考案の詳細な説明】
【技術分野】
【０００１】
この考案は、通信、電力用等の各種ケーブルの分岐、収束その他のために地中に埋設されるマンホール、ハンドホール等の埋設ボックスにおいて内部に溜まる雨水、地下水等を排水し、あるいは地中からの地下水等の浸入を防止できるようにし、またその保守点検が容易な埋設ボックスの止水装置に関する。
【背景技術】
【０００２】
従来から、この種のマンホール、ハンドホール等の埋設ボックスは、地表からの作業員の出入り、各種機器等の搬入等を可能とするよう地面上に開閉可能な蓋板を配して地中に埋設されることから、地表からは雨水等が、地下からは地下水がそれぞれ浸入するおそれがある。そのため、雨水等の排水用に底壁部分に排水口を設けることで内部に溜まった雨水等の排出を図るとしても、その排水口から別の地下水が浸入することになる。
【０００３】
このような点に鑑み、例えばハンドホールの構造に係る特許文献１、地中線ボックスに係る特許文献２、マンホールの排水装置に係る特許文献３等が提案されている。特許文献１に係るハンドホールの構造は、浮力によって上下動する球形弁を内装したハウジングをハンドホール本体の底面に貫通形成した穴に着脱可能に設けて成る。特許文献２に係る地中線ボックスにおける排水口は、小径部、大径部があるソケット継手の広い口である大径部側が下方となるように底面に設け、地下水位が低い場合には排水可能にし、地下水位が高い場合には穴に盲栓を挿入することで止水するとする。マンホールの排水装置に係る特許文献３は、マンホールの底部に形成した排水孔に取付けた筒体内に比重が１未満の球状フロートを上下動可能に配し、筒体の上部開口部に設けられた仕切板に形成した円孔に取付けたリング状のパッキンに球状フロートが接触することで円孔を閉塞するように構成して成る。
【先行技術文献】
【特許文献】
【０００４】
【特許文献１】登録実用新案第３０６４４３３号公報
【特許文献２】特開２００２−２３８１１８号公報
【特許文献３】特許第３１７１３３１号公報
【考案の概要】
【考案が解決しようとする課題】
【０００５】
ところが特許文献１のハンドホールにおける球形弁を内装したハウジング構造によると、ボックス外からの地下水等の逆流防止機能が得られても、ハウジング自体はハンドホール本体の底面に固定されているから、例えば止水のみとする場合、ハウジング自体を取り外して止水構造となっている例えば盲栓を取り付けることはできない。特許文献２の排水口によると、地下水位の高低に対応した排水口に対する盲栓の挿入取り付けで対応可能とするも、排水口を経てのハンドホール内への地下水等の浸入は確実には阻止できない。特許文献３の筒体に内装した球状フロートの上下動による逆流防止構成によっても、その筒体は底部に固定されているから特許文献１のハウジング構造のものと同様な不都合な点がある。
【０００６】
そこでこの考案は叙上のような従来存した諸事情に鑑み案出されたもので、その目的は埋設ボックスの設置現場における例えば地下水位の高低の相違による埋設状況に対応した止水構造を選定でき、また現場への搬入前による浸入した雨水等の排水を可能にすると共に、埋設後の保守点検時の分解清掃を容易にし、長期にわたり使用可能とする埋設ボックスの止水装置を提供することにある。
【課題を解決するための手段】
【０００７】
上述した課題を解決するため、この考案にあっては、所定の埋設ボックスＢの底壁にこの底壁を貫挿させて装着され、内周面に雌ネジ２が形成されている排水口体１と、この排水口体１に雄ネジ１１によって着脱自在にねじ止めされる盲栓体１０と、同じく雄ネジ２２によって排水口体１に着脱自在にねじ止めされ、埋設ボックスＢ内の貯留水は排水可能で、埋設ボックスＢ外からの浸水を防止可能にする逆流防止弁体２０とを備え、排水口体１に盲栓体１０あるいは逆流防止弁体２０のいずれかが選択してねじ止め装着されるようにしてなることを特徴とする。
排水口体１は、扁平な筒状を呈し、内周面に雌ネジ２が形成されていると共に、埋設ボックスＢの底壁の内側面に位置する取付フランジ３が上部に、また、ボックス構築用の内側型枠Ｐ１における底壁部相当面に突柱状に設けられている排水口Ｈを形成する排水口形成用突部Ｔにその外側からほぼ水密状に嵌め合わせる水封内縁４が下部にそれぞれ設けられることで構成することができる。
水封内縁４は、排水口形成用突部Ｔの外周面に当接する断面略鋭角状に形成することができる。
逆流防止弁体２０は、排水口体１の雌ネジ２にねじ込まれる雄ネジ２２を外周に有する筒状の弁筐体２１内に、通水口２４が開口形成されている隔壁２３を上部側に設けると共に、隔壁２３上には上部フィルタ体２７を着脱自在に配装し、弁筐体２１の下部には着脱自在な下部フィルタ体３５を配装し、下部フィルタ体３５と隔壁２３との間には、浮力によって上下動し、上昇時に通水口２４に密着閉塞するよう比重が水より小さい球体状の開閉弁４１を隔壁２３下に上下動自在に配して成ることを特徴とする。
また、上部フィルタ体２７は、フィルタ２９を交換自在に格納する格納凹所３１と盤面に多数の通水孔３２とを有して、上下で相互に嵌合されることで着脱自在に分割形成されている対称構成された上下盤２８から構成することができる。
下部フィルタ体３５は、盤面に多数の通水孔３６を有する底盤周縁上に弁筐体２１の内周面あるいは弁筐体２１の内側に形成した内筒３８面に圧接する複数の嵌入支持片３７を立設すると共に、内筒３８下端縁に当接されるよう、嵌入支持片３７にて囲繞された盤面上にフィルタ３９を交換自在に配置することで構成することができる。
【０００８】
以上のように構成されたこの考案に係る埋設ボックスの止水装置にあって、埋設ボックスＢの底壁に開口形成された排水口Ｈに装着した排水口体１は、底壁を閉塞する盲栓体１０、あるいは開閉弁４１の作動で埋設ボックスＢ内の貯留水を排水したり、埋設ボックスＢ外からの地下水等の浸入を阻止したりする逆流防止弁体２０のいずれかを埋設現場においてでも選択して、ねじ止めにて装着させる。
排水口体１の水封内縁４は、埋設ボックスＢを所定の型枠（Ｐ１）における排水口形成用突部Ｔに予め嵌め合わせ装着するとき、排水口形成用突部Ｔ外周に密着し、打設されるコンクリート材（トロ）の内方への浸入を阻止して雌ネジ２に付着させず、雄ネジ１１，２２の雌ネジ２に対するねじ込み操作を阻害させない。
盲栓体１０、逆流防止弁体２０はいずれも、選択、交換するとき、その雄ネジ１１，２２によって排水口体１の雌ネジ２に埋設ボックスＢ内方からのねじ込み作業の実施によって簡単、容易に装着させる。
埋設ボックスＢ内方からのねじ込みで排水口体１に装着される逆流防止弁体２０は、埋設ボックスＢ自体内の作業で取り外し可能にし、上部フィルタ体２７、下部フィルタ体３５それぞれを弁筐体２１から取り外させ、フィルタ２９，３９更には開閉弁４１の清掃、交換を行わせる。
【考案の効果】
【０００９】
この考案は以上説明したように構成されているため、ハンドホール、マンホール等の埋設ボックスＢの設置現場において、地下水位の高低の相違による埋設状況に対応して、埋設ボックスＢの底壁を開放させることで埋設ボックスＢ内の貯留水を排水できるようにするか、盲栓体１０の装着によって埋設ボックスＢ外からの地下水等の浸入を阻止するか、、逆流防止弁体２０の装着によって地下水位の変動等による埋設ボックスＢ内からの排水あるいは埋設ボックスＢ外からの浸入阻止等の設置態様を選択可能にする。また、特に逆流防止弁体２０は埋設ボックスＢ内部からの作業で取り外し、装着が可能であることで、その保守点検を容易にし、長期に渡る円滑な作動を可能にする。
【００１０】
すなわち、これはこの考案において、埋設ボックスＢの底壁に貫挿装着され、雌ネジ２が形成されている排水口体１と、この排水口体１に着脱自在にねじ止めされる盲栓体１０と、同じく排水口体１に着脱自在にねじ止めされ、埋設ボックスＢ内の貯留水を排水可能で、埋設ボックスＢ外からの浸水を防止可能にする逆流防止弁体２０とを備え、排水口体１に盲栓体１０あるいは逆流防止弁体２０のいずれかが選択してねじ止め装着されるようにしたからである。これによって、埋設ボックスＢの設置現場における地下水位の高低状況に対応して、常時の開放あるいは閉塞態様、埋設ボックスＢ外からの浸入を阻止した埋設ボックスＢ内からの排水の逆流阻止態様等の選定を可能にし、またメインテナンスを容易にする。
【００１１】
また、排水口体１は埋設ボックスＢの底壁に開口形成の排水口Ｈに装着されるとき、そのコンクリート材による打設成形時の型枠（Ｐ１）における排水口形成用突部Ｔに予め嵌め合わせられるもので、その嵌め合わせ時には排水口形成用突部Ｔに断面で略鋭角状の水封内縁４が密着するから、打設されるコンクリート材の排水口体１内方への浸入を阻止し、雌ネジ２等にいわゆるトロ等が付着することがない。そのため、脱型後の付着コンクリート材の除去作業その他が不要であるばかりでなく、雌ネジ２面の螺旋形態が維持されていることで盲栓体１０の雄ネジ１１、逆流防止弁体２０の雄ネジ２２によるねじ込み操作を阻害せず、確実なねじ止め状態とする。
【００１２】
盲栓体１０、逆流防止弁体２０のいずれも、埋設ボックスＢの内部からのねじ込み装着、その取り外しを可能にしているから、埋設ボックスＢ内部のみからの作業でこれらの保守点検が実施でき、貯留水の外部への排水を可能にし、また外部からの地下水等の浸入等を防止できる。
【００１３】
更には逆流防止弁体２０における上部フィルタ体２７、下部フィルタ体３５は、排水口体１からの逆流防止弁体２０の取り外しによって、弁筐体２１から更に取り外し分解でき、例えば上部フィルタ体２７では上下盤２８相互間の分解によってフィルタ２９を、下部フィルタ体３５では内筒３８からの嵌入支持片３７による取り外し、分離によってフィルタ３９及び開閉弁４１を取り出し、その清掃、交換等の保守点検等を実施できるから、長期に渡る使用を可能にしている。
【００１４】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１５】
【図１】この考案を実施するための一形態を示す一部切欠の分解斜視図である。
【図２】同じく排水口体に盲栓体を取り付けたときの要部断面図である。
【図３】同じく排水口体に逆流防止弁体を取り付けたときの要部断面図である。
【図４】同じく型枠によってハンドホールのベース体を構成するときの水抜き孔用の排水口体の取付状態を示す一部の拡大図を含む要部断面図である。
【図５】同じく埋設ボックスの概略正断面図である。
【考案を実施するための形態】
【００１６】
以下、図面を参照してこの考案を実施するための一形態を説明すると、図において示される符号１はハンドホール、マンホール等の埋設ボックスＢの底壁に設けられる排水口体である。この排水口体１は扁平な筒状を呈し、内周面に雌ネジ２が形成されていると共に、底壁の内側面（底面）に位置する取付フランジ３が上部に、埋設ボックスＢ構築用の内側型枠Ｐ１における底壁部相当面に突柱状に設けられている排水口Ｈを形成する排水口形成用突部Ｔにその外側からほぼ水密状に嵌め合わせる水封内縁４が下部にそれぞれ設けられて成る。
【００１７】
筒状の本体部分は、後述する盲栓体１０あるいは逆流防止弁体２０をねじ込み保持するに十分な長さ（深さ）を有し、排水口栓１０自体は例えばポリエステル樹脂等の合成樹脂材によって形成されている。
【００１８】
また図４に示すように、水封内縁４は本体部分の内方に出張るように形成されていて、ボックス構築用の内側型枠Ｐ１における排水口形成用突部Ｔに排水口体１自体が嵌め合わせられるとき、排水口形成用突部Ｔの外周面に密着して内外を遮断し、この水封内縁４によって雌ネジ２側にコンクリート材（いわゆるトロ）が浸入しないようにしている。そして、本体部分の下方に向かうように、すなわち図４に示すように、ボックス構成のためにコンクリート材を打設するときに上下反転の配置となる内側型枠Ｐ１、外側型枠Ｐ２における上方に向かうように、傾斜していて、その内周縁は断面でやや鋭利状となる先細状にし、排水口形成用突部Ｔの外径に比しやや小径にした内径となるようにしてある。こうすることで、上下反転配置の内側型枠Ｐ１における排水口形成用突部Ｔに排水口体１自体を嵌め合わせるとき、やや強制的にでも嵌め合わせることで排水口形成用突部Ｔの外周面に円滑に密着させ、内外を遮断できるようにしている。
【００１９】
図示にあっては、この本体部分の下部外周に、取付フランジ３に略平行し、対向している支持フランジ５を互いに排水口体１自体の内外方向に向けて水封内縁４と一体的にして設けてあり、取付フランジ３と共に排水口体１自体のコンクリート材との一体的な埋め込みが図れるようにしてある。また、この支持フランジ５の外側面には、例えば接着剤等をやや肉厚状に塗布することで、コンクリート材と合成樹脂材製の排水口体１との一体的結合を確実にする結着材層６を形成してある。
【００２０】
また、排水口体１には、排水口Ｈを閉塞する盲栓体１０が着脱自在にねじ込まれるようにしてある。この盲栓体１０は図示例のように、排水口体１の雌ネジ２にネジ込まれる雄ネジ１１を外周に有し、天盤部上面に形成した凹部内に回転用ツマミ１２をほぼ直径方向に沿って突部状に設けて成る。
【００２１】
一方、逆流防止弁体２０は図１、図３に示すように、排水口体１の雌ネジ２にねじ込まれる雄ネジ２２を外周に有する筒状の弁筐体２１内に、通水口２４が開口形成されている隔壁２３を上部側に設けると共に、隔壁２３上には上部フィルタ体２７を着脱自在に配装し、弁筐体２１の下部には着脱自在な下部フィルタ体３５を配装し、下部フィルタ体３５と隔壁２３との間には、浮力によって上下動し、上昇時に通水口２４に密着閉塞するよう比重が水より小さい球体状の開閉弁４１を隔壁２３下に上下動自在に配して成る。
【００２２】
隔壁２３は、上部フィルタ体２７を格納する上部フィルタ室２６と、開閉弁４１を収納している弁体収納室部分とを弁筐体２１内で上下に区画していると共に、中央に位置させて通水口２４が開口されていて、この通水口２４の内縁には開閉弁４１がしっくりと当接する弾性材製のパッキン材２５が嵌め込まれている。
【００２３】
上部フィルタ体２７は、例えば繊維質材から成る円板状のフィルタ２９を交換自在に格納する格納凹所３１と盤面に例えば略円形状の多数の通水孔３２とを有して、上下で相互に嵌合されることで着脱自在に分割形成されている対称構成された上下盤２８から成る。そして、この上下盤２８の少なくともいずれか一方の外周面に、例えば対称的に対状に突設形成した支持突部３３を、上部フィルタ室２６内側面に形成したＬ字形の支持溝３４内に嵌め入れるよう、押し込み、回転させることで上部フィルタ体２７を上部フィルタ室２６内に着脱自在に収納できるようにしてある。
【００２４】
下部フィルタ体３５は、盤面に例えば多重の円周上に沿っている略円弧状の多数の通水孔３６を有する底盤周縁上に弁筐体２１の内周面あるいは弁筐体２１の内側に形成した内筒３８面に圧接する複数の嵌入支持片３７を立設すると共に、内筒３８下端縁に当接されるよう、嵌入支持片３７にて囲繞された盤面上に、例えば繊維質材から成る円板状のフィルタ３９を交換自在に配置して成る。
【００２５】
このように形成された逆流防止弁体２０において、雄ネジ２２によって排水口体１にねじ止め固定されると、埋設ボックスＢ外からの例えば地下水は下部フィルタ体３５を経て弁筐体２１内に浸入されると、開閉弁４１を浮力によって持ち上げ通水口２４を閉塞することで、通水口２４を経た地下水等の埋設ボックスＢ内への浸入を阻止する。また、地下水位に比しこの逆流防止弁体２０が高位置にあると、開閉弁３９は下部フィルタ体３５側に下降することで通水口２４を開口し、埋設ボックスＢ内の貯留水等を通水口２４を経て埋設ボックスＢ外に排水する。
【００２６】
この逆流防止弁体２０自体は、排水口体１に対するねじ止めの解除によって埋設ボックスＢ内から取り外すことができ、支持突部３３と支持溝３４とのスライド回転、引き抜きによって上部フィルタ体２７を上部フィルタ室２６から取り出し、上下盤２８相互間の分解によってフィルタ２９を取り出してこのフィルタ２９の清掃、交換等ができる。同様に、下部フィルタ体３５を弁筐体２１の下部から取り外し、フィルタ３９を取り出してこのフィルタ３９の清掃、交換等ができる。こうして、逆流防止弁体２０において、排水口体１から取り外すことで、地下水、貯留水等によって汚損等がされているフィルタ２９，３９及び開閉弁４１等の清掃、交換等のメインテナンスを可能にしている。
【００２７】
次にこれの使用の一例を説明すると、図４に示すように、所定の型枠Ｐ１，Ｐ２を使用して埋設ボックスＢを構成するとき、内側型枠Ｐ１の外方に外側型枠Ｐ２を配した状態で、これらを上下に反転させ底壁部分が上方に位置するようにしてこれらの型枠Ｐ１，Ｐ２相互間にコンクリート材を打設する。このコンクリート材の打設時において、型枠Ｐ１，Ｐ２の底壁部分外面が上方に向けられることで排水口Ｈを形成する排水口形成用突部Ｔが上方に向けられたものとなり、その状態で、取付フランジ３を底壁面に当接させるように排水口体１を排水口形成用突部Ｔに嵌め合わせ装着する。このとき、排水口体１の水封内縁４を排水口形成用突部Ｔの外周面に密着させる。その後、コンクリート材を打設し、所定期間の養生を経て製品とするのであり、製品における底壁には、排水口体１が埋め込み状に一体化されている。
【００２８】
製品の出荷に際し、排水口体１には盲栓体１０がねじ止めされており、埋設現場への搬入、組立、埋設後において、埋設ボックスＢの底壁部位の高さと埋設場所の地下水位の高さとの相違その他を計測判定し、地下水位が低い場合には、排水口Ｈを経ての地下水の浸入がないから、盲栓体１０を取り外すことで埋設ボックスＢ内に貯留された雨水等の排水を可能にする。逆に、地下水位が高い場合には、排水口Ｈを経て地下水が浸入されるから盲栓体１０をねじ止めし、浸入を防止する（図２参照）。また、逆流防止弁体２０を排水口体１に取り付け、セットすることで、地下水位との高低差によって、埋設ボックスＢ外からの浸入は阻止し、埋設ボックスＢ内の雨水等の排水を可能にするのであり（図３参照）、このように埋設場所の状況に応じて盲栓体１０あるいは逆流防止弁体２０等を選定使用する（図１参照）。
【符号の説明】
【００２９】
Ｂ…埋設ボックス                        Ｈ…排水口
Ｐ１…内側型枠                          Ｐ２…外側型枠
Ｔ…排水口形成用突部
１…排水口体                            ２…雌ネジ
３…取付フランジ                        ４…水封内縁
５…支持フランジ                        ６…結着剤層
１０…盲栓体                            １１…雄ネジ
１２…回転用ツマミ
２０…逆流防止弁体                      ２１…弁筐体
２２…雄ネジ                            ２３…隔壁
２４…通水口                            ２５…パッキン材
２６…上部フィルタ室                    ２７…上部フィルタ体
２８…上下盤                            ２９…フィルタ
３１…格納凹所                          ３２…通水孔
３３…支持突部                          ３４…支持溝
３５…下部フィルタ体                    ３６…通水孔
３７…嵌入支持片                        ３８…内筒
３９…フィルタ                          ４１…開閉弁
【図１】
0003165904.tif 000003
【図２】
0003165904.tif 000004
【図３】
0003165904.tif 000005
【図４】
0003165904.tif 000006
【図５】
0003165904.tif 000007